(57)【要約】【課題】足の小指部分のフィット性を高めることを目的とし、足の小指（第５指）を薬指（第４指）側に可及的に近づけるべく小指袋部を爪先袋部から独立して編成する靴下の編成方法及び靴下を提供することを目的とする。【解決手段】丸編機を用いた靴下の編成方法であって、小指袋部を独立して編成する際、編成パターンにおいて小指袋部内側に位置する針数を減少及び増加させる割合について小指袋部外側に位置する針数を減少及び増加させる割合と比較して小さくなるように設定し非対称形状に編成する。【選択図】図２
2010031437.tif 000002
【特許請求の範囲】
【請求項１】
複数本の編針が周囲に配設された針釜を一定方向に回転して編み立てる回転動作と、針釜を正逆方向に交互に回動して編み立てる回動動作を併せ持つ丸編機を用いた靴下の編成方法であって、小指袋部を独立して編成する際、編成パターンにおいて小指袋部内側に位置する針数を減少及び増加させる割合について小指袋部外側に位置する針数を減少及び増加させる割合と比較して小さくなるように設定することにより足の小指部分のフィット性を高めることを特徴とする靴下の編成方法。
【請求項２】
請求項１に記載の靴下の編成方法において、足の小指部分のフィット性を高める小指袋部を独立して編成する際、編幅を順次小さくする小指袋部下側編地について逆方向に回動する際に小指袋部内側に位置する針数を順次１本づつ減少させる操作と正方向に回動する際に小指袋部外側に位置する針数を順次１本づつ減少させる操作と正方向に回動する際の３コース中の１コースに小指袋部内側に位置する針数を２本増加させる操作とを組み合わせた編成パターンを複数回繰り返し、次に編幅を順次大きくする小指袋部上側編地について逆方向に回動する際に小指袋部内側に位置する針数を順次１本づつ減少させる操作と正方向に回動する際に小指袋部外側に位置する針数を順次１本づつ減少させる操作と逆方向に回動する際の全コースに小指袋部外側に位置する針数を２本増加させる操作と正方向に回動する際の３コース中の２コースに小指袋部内側に位置する針数を２本増加させる操作とを組み合わせた編成パターンを複数回繰り返すことを特徴とする靴下の編成方法。
【請求項３】
請求項１又は２に記載の靴下の編成方法により小指袋部を独立して編成した靴下であって、足の親指と第２指と第３指と第４指の４本の足指が入る爪先袋部を形成し、前記爪先袋部の終端縁と靴下本体の先端縁の開口部を縫製する縫製ラインよりも後方側の位置であって足の小指部分に対応する箇所に小指袋部を独立して編成したことを特徴とする靴下。
【請求項４】
前記爪先袋部は足の親指が入る親指袋部と、第２指と第３指と第４指の足指が入る３本指袋部から編成されていることを特徴とする請求項３に記載の靴下。
【請求項５】
前記爪先袋部は足の親指と第２指と第３指と第４指の足指が１箇所に入る４本指袋部から編成されていることを特徴とする請求項３に記載の靴下。
【請求項６】
前記爪先袋部は足の親指と第２指と第３指と第４指の足指を別々に入れる４本の各指袋部から編成されていることを特徴とする請求項３に記載の靴下。
【発明の詳細な説明】
【技術分野】
【０００１】
本発明は、足の小指にぴったりとフィットするように小指袋部を爪先袋部から独立して編成する靴下の編成方法及び靴下に関する。
【背景技術】
【０００２】
従来の靴下の爪先部分については、足指（足の親指と第２指と第３指と第４指と小指）の五指を入れることを基本としている。このような基本的な考え方は、５本指又は３本指等の様々なタイプの靴下についても同様である。
【０００３】
特開２００６−３４８４２号公報には、５本指の靴下を製造する「靴下の製造方法」が開示されている（特許文献１）。
【０００４】
また、特開２００７−２３６２号公報には、５本指の靴下を製造する「靴下の製造方法」が開示されている（特許文献２）。
【０００５】
また、特開２００３−２９９６８５号公報には、３本指の靴下を提供する「足のバランス矯正靴下」が開示されている（特許文献３）。
【０００６】
【特許文献１】特開２００６−３４８４２号公報
【特許文献２】特開２００７−２３６２号公報
【特許文献３】特開２００３−２９９６８５号公報
【発明の開示】
【発明が解決しようとする課題】
【０００７】
しかし、従来の靴下の爪先部分については、足指の五指を入れることを基本としていることから、足指の配置からして小指が他の指と比較して後方側にあるのが一般的であるため、従来の靴下では小指部分においてフィット性に欠けるという問題を有している。
【０００８】
そこで、本発明は、足の小指部分のフィット性を高めることを目的とし、足の小指（第５指）を薬指（第４指）側に可及的に近づけるべく小指袋部を爪先袋部から独立して編成する靴下の編成方法及びその方法により編成された靴下を提供することを目的とする。
【課題を解決するための手段】
【０００９】
上記課題を解決するために、請求項１に記載の発明は、複数本の編針が周囲に配設された針釜を一定方向に回転して編み立てる回転動作と、針釜を正逆方向に交互に回動して編み立てる回動動作を併せ持つ丸編機を用いた靴下の編成方法であって、小指袋部を独立して編成する際、編成パターンにおいて小指袋部内側に位置する針数を減少及び増加させる割合について小指袋部外側に位置する針数を減少及び増加させる割合と比較して小さくなるように設定することにより足の小指部分のフィット性を高めることを特徴とする。
【００１０】
また、請求項２に記載の発明について、請求項１に記載の靴下の編成方法において、足の小指部分のフィット性を高める小指袋部を独立して編成する際、編幅を順次小さくする小指袋部下側編地について逆方向に回動する際に小指袋部内側に位置する針数を順次１本づつ減少させる操作と正方向に回動する際に小指袋部外側に位置する針数を順次１本づつ減少させる操作と正方向に回動する際の３コース中の１コースに小指袋部内側に位置する針数を２本増加させる操作とを組み合わせた編成パターンを複数回繰り返し、次に編幅を順次大きくする小指袋部上側編地について逆方向に回動する際に小指袋部内側に位置する針数を順次１本づつ減少させる操作と正方向に回動する際に小指袋部外側に位置する針数を順次１本づつ減少させる操作と逆方向に回動する際の全コースに小指袋部外側に位置する針数を２本増加させる操作と正方向に回動する際の３コース中の２コースに小指袋部内側に位置する針数を２本増加させる操作とを組み合わせた編成パターンを複数回繰り返すことを特徴とする。
【００１１】
また、請求項３に記載の発明について、請求項１又は２に記載の靴下の編成方法により小指袋部を独立して編成した靴下であって、足の親指と第２指と第３指と第４指の４本の足指が入る爪先袋部を形成し、前記爪先袋部の終端縁と靴下本体の先端縁の開口部を縫製する縫製ラインよりも後方側の位置であって足の小指部分に対応する箇所に小指袋部を独立して編成したことを特徴とする
【００１２】
また、請求項４に記載の発明について、請求項３に記載の前記爪先袋部は足の親指が入る親指袋部と、第２指と第３指と第４指の足指が入る３本指袋部から編成されていることを特徴とする。
【００１３】
また、請求項５に記載の発明について、請求項３に記載の前記爪先袋部は足の親指と第２指と第３指と第４指の足指が１箇所に入る４本指袋部から編成されていることを特徴とする。
【００１４】
また、請求項６に記載の発明について、請求項３に記載の前記爪先袋部は足の親指と第２指と第３指と第４指の足指を別々に入れる４本の各指袋部から編成されていることを特徴とする。
【発明の効果】
【００１５】
以上のように、本発明によれば、小指袋部を独立して編成する際、編成パターンにおいて小指袋部内側に位置する針数の増減割合を小指袋部外側に位置する針数の増減割合よりも小さくなるように設定し小指袋部を非対称形状に編成したので、最終的に形成される小指袋部の全体が靴下の前方から内側向きに傾斜して突出することとなり、足の小指（第５指）を薬指（第４指）側に可及的に近づけることができ、従来よりも足の小指部分のフィット性を高めることができる。
また、靴下の爪先袋部に足の小指以外の四指を入れ、爪先袋部の縫製ラインよりも後方側の位置に小指袋部を独立して編成したことにより、足の小指にぴったりとフィットさせることができる。
【発明を実施するための最良の形態】
【００１６】
以下、本発明の実施形態について、図面を参酌しながら説明する。本発明に係る靴下の編成方法及びその方法により編成された靴下は、以下の実施例に限定されるものではない。
【００１７】
本発明に係る靴下は、靴下本体及び爪先部分が丸編機を用いて編成され、靴下本体は履口部分から足甲部分及び足底部分の先端側に向けて筒状に編成され、爪先部分には足指の四指（足の親指と第２指と第３指と第４指）を入れる指袋が編成され、爪先部分の終端縁と靴下本体の先端縁との間の開口はリンキング又はロッソなどによって縫製され、この縫製ラインよりも後方側の位置に小指袋部が独立して編成される。
【００１８】
図１は、親指袋部と３本指袋部と小指袋部の編成を示す概念図である。
小指袋部１５の編成は、先ず針釜を一定方向に回転させて靴下本体の筒状部を編成した後、編み立て位置を調整して小指袋部１５を編み立てる針数に減少し、針釜を正逆方向に交互に回動（正転、逆転）させつつ編幅を編成が進むにつれて順次小さくし、平面形状が台形となるように所定コース編成する。この台形の部分は小指袋部１５の下側編地となる。次に、引き続く編成ではそれまでとは逆に、編成が進むにつれて編幅を順次大きくし、平面形状が台形となる小指袋部１５の上側編地を編成する。その編成の途次、往復の端部において下側編地の両側縁部と上側編地の両側縁部とを一体的に編み合わせて小指袋部１５が形成される。ここで、図１に示すように小指袋部１５を独立して編成する際、編成パターンにおいて小指袋部１５内側に位置する針数を減少及び増加させる割合について小指袋部１５外側に位置する針数を減少及び増加させる割合と比較して小さくなるように設定し非対称形状に編成することにより、最終的に形成される小指袋部１５の全体が靴下の前方から内側向きに傾斜して突出する（図５参照）。
次に、小指袋部１５を編成した後、編み立て位置を調整して３本指袋部１４を編み立てる針数に減少し、針釜を正逆方向に交互に回動（正転、逆転）させつつ編幅を編成が進むにつれて順次小さくし、平面形状が台形となるように所定コース編成する。この台形の部分は３本指袋部１４の下側編地となる。次に、引き続く編成ではそれまでとは逆に、編成が進むにつれて編幅を順次大きくし、平面形状が台形となる３本指袋部１４の上側編地を編成する。その編成の途次、往復の端部において下側編地の両側縁部と上側編地の両側縁部とを一体的に編み合わせて３本指袋部１４が形成される（図４、図５参照）。
更に、３本指袋部１４を編成した後、編み立て位置を調整して親指袋部１３を編み立てる針数に減少し、針釜を正逆方向に交互に回動（正転、逆転）させつつ編幅を編成が進むにつれて順次小さくし、平面形状が台形となるように所定コース編成する。この台形の部分は親指袋部１３の下側編地となる。次に、引き続く編成ではそれまでとは逆に、編成が進むにつれて編幅を順次大きくし、平面形状が台形となる親指袋部１３の上側編地を編成する。その編成の途次、往復の端部において下側編地の両側縁部と上側編地の両側縁部とを一体的に編み合わせて親指袋部１３が形成される（図４、図５参照）。
【００１９】
図２は、小指袋部の編成を示す説明図である。
上述した小指袋部の編成について、更に詳細な編成方法を説明する。
図２に示すように小指袋部を独立して編成する際、小指袋部を編み立てる針数を２６本に設定した場合、編幅を順次小さくする小指袋部下側編地については、逆方向に回動（図中の逆転）する際に小指袋部内側に位置する針数を順次１本づつ減少させる操作と、正方向に回動（図中の正転）する際に小指袋部外側に位置する針数を順次１本づつ減少させる操作と、正方向に回動する際の３コース中の１コースに小指袋部内側に位置する針数を２本増加させる操作（図中のコース４）とを組み合わせた編成パターン（コース１〜６）を４回繰り返し、次に編幅を順次大きくする小指袋部上側編地については、逆方向に回動する際に小指袋部内側に位置する針数を順次１本づつ減少させる操作と、正方向に回動する際に小指袋部外側に位置する針数を順次１本づつ減少させる操作と、逆方向に回動する際の全コースに小指袋部外側に位置する針数を２本増加させる操作（図中のコース２５、２７、２９）と、正方向に回動する際の３コース中の２コースに小指袋部内側に位置する針数を２本増加させる操作（図中のコース２６、２８）とを組み合わせた編成パターン（コース２５〜３０）を４回繰り返す。
小指袋部の指先（コース２４、２５）については、図２に示すように小指袋部内側では針数が５本減少するのに対して小指袋部外側では針数がその２倍以上の１２本減少するため、小指袋部の編成の中心位置から小指袋部内側に大きく偏る。このため、最終的に形成される小指袋部の全体が靴下の前方から内側向きに傾斜して突出することとなり、足の小指（第５指）を薬指（第４指）側に可及的に近づけることができ、足の小指部分のフィット性を高めることができる（図５参照）。
【００２０】
図３は、３本指袋部の編成を示す説明図である。
３本指袋部の編成について、更に詳細な編成方法を説明する。
図３に示すように３本指袋部を独立して編成する際、３本指袋部を編み立てる針数を５６本に設定した場合、編幅を順次小さくする３本指袋部下側編地については、逆方向に回動（図中の逆転）する際に３本指袋部内側に位置する針数を順次１本づつ減少させる操作と、正方向に回動（図中の正転）する際に３本指袋部外側に位置する針数を順次１本づつ減少させる操作と、逆方向に回動する際の３コース中の１コースに３本指袋部内側に位置する針数を２本増加させる操作（図中のコース５）と、正方向に回動する際の３コース中の１コースに３本指袋部外側に位置する針数を２本増加させる操作（図中のコース４）とを組み合わせた編成パターン（コース１〜６）を６回繰り返し、次に３本指袋部下側編地の指先部領域（図中の指先部Ａ〜指先部Ｂ）については、逆方向に回動する際に３本指袋部内側に位置する針数を順次１本づつ減少させる操作と、正方向に回動する際に３本指袋部外側に位置する針数を順次１本づつ減少させる操作とを組み合わせた編成パターン（コース３７〜４２）を２回繰り返し、次に３本指袋部上側編地の指先部領域（図中の指先部ａ〜指先部ｂ）について逆方向に回動する際に３本指袋部内側に位置する針数を順次１本づつ減少させる操作と、正方向に回動する際に３本指袋部外側に位置する針数を順次１本づつ減少させる操作と、逆方向に回動する際の全コースに３本指袋部内側に位置する針数を２本増加させる操作（図中のコース４９、５１，５３）と、正方向に回動する際の全コースに３本指袋部外側に位置する針数を２本増加させる操作（図中のコース５０，５２，５４）とを組み合わせた編成パターン（コース４９〜５４）を２回繰り返し、次に編幅を順次大きくする３本指袋部上側編地については、逆方向に回動する際に３本指袋部内側に位置する針数を順次１本づつ減少させる操作と、正方向に回動する際に３本指袋部外側に位置する針数を順次１本づつ減少させる操作と、逆方向に回動する際の３コース中の２コースに３本指袋部内側に位置する針数を２本増加させる操作（図中のコース６３，６５）と、正方向に回動する際の３コース中の２コースに３本指袋部外側に位置する針数を２本増加させる操作（図中のコース６４，６６）とを組み合わせた編成パターン（コース６１〜６６）を６回繰り返す。
３本指袋部の指先部領域については、図３に示すように３本指袋部の内側と外とで針数が均等に減少するため、最終的に形成される３本指袋部の先端部の両隅がそれぞれ内側向きに傾斜することとなり、足の第４指及び第２指のフィット性を高めることができる（図４、図５参照）。
【００２１】
（第一実施例）
図４は本発明に係る靴下（右足用）の第一実施例を示す平面図、図５は図４に示す靴下の底面図である。
靴下本体１０には履口部１１、踵部１２が編成され、爪先袋部には足の親指が入る親指袋部１３と、第２指と第３指と第４指の足指が入る３本指袋部１４が編成される。
図４に示すように、親指袋部１３と３本指袋部１４からなる爪先袋部の終端縁と靴下本体１０の先端縁の間の開口部はリンキング又はロッソなどによって縫製されており、縫製ライン１６よりも後方側の位置であって足の小指部分に対応する箇所に小指袋部１５が独立して編成される。
この小指袋部１５は、上述した編成パターンにおいて小指袋部１５内側に位置する針数を減少及び増加させる割合について小指袋部１５外側に位置する針数を減少及び増加させる割合と比較して小さくなるように設定し非対称形状に編成され、図５に示すように最終的に形成される小指袋部１５の全体が靴下の前方から内側向きに傾斜して突出する。このため、足の小指（第５指）を薬指（第４指）側に可及的に近づけることができ、従来よりも足の小指部分のフィット性を高めることができる。また、爪先袋部の縫製ライン１６よりも後方側の位置に小指袋部１５を独立して編成したことにより、足の小指にぴったりとフィットさせることができる。
【００２２】
（第二実施例）
靴下本体には履口部、踵部が編成され、爪先袋部には足の親指と第２指と第３指と第４指の４本の足指が１箇所に入る４本指袋部（図示省略）が編成される。４本指袋部からなる爪先袋部の終端縁と靴下本体の先端縁の間の開口部はリンキング又はロッソなどによって縫製されており、縫製ラインよりも後方側の位置であって足の小指部分に対応する箇所に小指袋部が独立して編成される。この小指袋部の編成は第一実施例と同様であり、上述した編成パターンにおいて小指袋部内側に位置する針数を減少及び増加させる割合について小指袋部外側に位置する針数を減少及び増加させる割合と比較して小さくなるように設定し非対称形状に編成され、最終的に形成される小指袋部の全体が靴下の前方から内側向きに傾斜して突出する。このため、足の小指（第５指）を薬指（第４指）側に可及的に近づけることができ、従来よりも足の小指部分のフィット性を高めることができる。
【００２３】
（第三実施例）
靴下本体には履口部、踵部が編成され、爪先袋部には足の親指と第２指と第３指と第４指の足指を別々に入れる４本の各指袋部（図示省略）が編成される。４本の各指袋部からなる爪先袋部の終端縁と靴下本体の先端縁の間の開口部はリンキング又はロッソなどによって縫製されており、縫製ラインよりも後方側の位置であって足の小指部分に対応する箇所に小指袋部が独立して編成される。この小指袋部の編成は第一実施例と同様であり、上述した編成パターンにおいて小指袋部内側に位置する針数を減少及び増加させる割合について小指袋部外側に位置する針数を減少及び増加させる割合と比較して小さくなるように設定し非対称形状に編成され、最終的に形成される小指袋部の全体が靴下の前方から内側向きに傾斜して突出する。このため、足の小指（第５指）を薬指（第４指）側に可及的に近づけることができ、従来よりも足の小指部分のフィット性を高めることができる。
【図面の簡単な説明】
【００２４】
【図１】親指袋部と３本指袋部と小指袋部の編成を示す概念図である。
【図２】小指袋部の編成を示す説明図である。
【図３】３本指袋部の編成を示す説明図である。
【図４】本発明に係る靴下の第一実施例を示す平面図である。
【図５】図４に示す靴下の底面図である。
【符号の説明】
【００２５】
１０  靴下本体
１１  履口部
１２  踵部
１３  親指袋部
１４  ３本指袋部
１５  小指袋部
１６  縫製ライン
【図１】
2010031437.tif 000003
【図２】
2010031437.tif 000004
【図３】
2010031437.tif 000005
【図４】
2010031437.tif 000006
【図５】
2010031437.tif 000007